(57)【要約】【課題】使用エネルギーに関する複数の料金契約パターンに対し、料金のシミュレーションを実施可能とする。【解決手段】使用エネルギーを示すデータを収集するデータ収集部１０２と、エネルギー単価を示す単価テーブルを複数取得するテーブル取得部１０３と、データ収集部１０２により収集されたデータに基づいて、対象期間の使用エネルギーを示すデータを取得する対象エネルギー取得部１０５と、対象エネルギー取得部１０５による取得結果に基づいて、テーブル取得部１０３により取得された単価テーブル毎に、対象期間の使用エネルギーによる料金の累積値を算出する料金算出部１０６と、料金算出部１０６により算出された累積値を示すグラフを生成するグラフ生成部１０７と、グラフ生成部１０７により生成されたグラフを示すデータを出力する出力部１０８とを備えた。【選択図】図１
2020144532.tif 000002
【特許請求の範囲】
【請求項１】
使用エネルギーを示すデータを収集するデータ収集部と、
エネルギー単価を示す単価テーブルを複数取得するテーブル取得部と、
前記データ収集部により収集されたデータに基づいて、対象期間の使用エネルギーを示すデータを取得する対象エネルギー取得部と、
前記対象エネルギー取得部による取得結果に基づいて、前記テーブル取得部により取得された単価テーブル毎に、対象期間の使用エネルギーによる料金の累積値を算出する料金算出部と、
前記料金算出部により算出された累積値を示すグラフを生成するグラフ生成部と、
前記グラフ生成部により生成されたグラフを示すデータを出力する出力部と
を備えた料金シミュレーション装置。
【請求項２】
現在の対象期間の使用エネルギーに類似する傾向を有する過去の対象期間を設定する対象期間設定部を備え、
前記対象エネルギー取得部は、前記データ収集部により収集されたデータに基づいて、現在の対象期間の使用エネルギーを示すデータ及び前記対象期間設定部により設定された過去の対象期間の使用エネルギーを示すデータを取得し、
前記料金算出部は、前記対象エネルギー取得部による取得結果に基づいて、前記テーブル取得部により取得された単価テーブル毎に、現在の対象期間の使用エネルギーによる料金の累積値及び前記対象期間設定部により設定された過去の対象期間の使用エネルギーによる料金の累積値を算出する
ことを特徴とする請求項１記載の料金シミュレーション装置。
【請求項３】
前記グラフ生成部は、前記対象エネルギー取得部により取得されたデータが示す現在の対象期間の使用エネルギー及び過去の対象期間の使用エネルギーを示すグラフも生成する
ことを特徴とする請求項２記載の料金シミュレーション装置。
【請求項４】
前記対象期間設定部は、ユーザ入力を受付けることで、過去の対象期間を設定する
ことを特徴とする請求項２又は請求項３記載の料金シミュレーション装置。
【請求項５】
前記対象期間設定部は、前記データ収集部により収集されたデータに基づいて、現在の対象期間の使用エネルギーに類似する傾向を有する過去の対象期間を検索して設定する
ことを特徴とする請求項２又は請求項３記載の料金シミュレーション装置。
【請求項６】
前記データ収集部により収集されたデータに基づいて、現在の対象期間のうちのデータの無い期間での使用エネルギーを予測する対象エネルギー予測部を備え、
前記対象エネルギー取得部は、前記データ収集部により収集されたデータに基づいて、現在の対象期間のうちのデータの有る期間での使用エネルギーを示すデータを取得し、
前記料金算出部は、前記対象エネルギー取得部による取得結果及び前記対象エネルギー予測部による予測結果に基づいて、前記テーブル取得部により取得された単価テーブル毎に、現在の対象期間の使用エネルギーによる料金の累積値を算出する
ことを特徴とする請求項１記載の料金シミュレーション装置。
【請求項７】
前記グラフ生成部は、前記対象エネルギー取得部による取得結果及び前記対象エネルギー予測部による予測結果に基づく現在の対象期間の使用エネルギーを示すグラフも生成する
ことを特徴とする請求項６記載の料金シミュレーション装置。
【請求項８】
使用エネルギーを示すデータを収集するデータ収集ステップと、
エネルギー単価を示す単価テーブルを複数取得するテーブル取得ステップと、
前記データ収集ステップにおいて収集したデータに基づいて、対象期間の使用エネルギーを示すデータを取得する対象エネルギー取得ステップと、
前記対象エネルギー取得ステップにおける取得結果に基づいて、前記テーブル取得ステップにおいて取得した単価テーブル毎に、対象期間の使用エネルギーによる料金の累積値を算出する料金算出ステップと、
前記料金算出ステップにおいて算出した累積値を示すグラフを生成するグラフ生成ステップと、
前記グラフ生成ステップにおいて生成したグラフを示すデータを出力する出力ステップと
を有する料金シミュレーション方法。
【発明の詳細な説明】
【技術分野】
【０００１】
この発明は、使用エネルギーによる料金をシミュレーションする料金シミュレーション装置及び料金シミュレーション方法に関する。
【背景技術】
【０００２】
従来から、例えばＥＭＳ（Ｅｎｅｒｇｙ  Ｍａｎａｇｅｍｅｎｔ  Ｓｙｓｔｅｍ）のように、使用エネルギーの管理を行うシステムが知られている（例えば特許文献１，２参照）。また、このＥＭＳ導入の目的の一つとしては、使用エネルギー（買電）の最小化が挙げられる。
【先行技術文献】
【特許文献】
【０００３】
【特許文献１】特許６４４００８２号
【特許文献２】特開２０１６−１８４８３号公報
【発明の概要】
【発明が解決しようとする課題】
【０００４】
一方、近年では、電力供給の自由化（発電及び送電）が進み、電力購入の契約先及び契約形態（料金契約パターン）の選択肢が増えてきている。これに対し、使用エネルギーの最小化が進み熱源運転方案として最適な方案が確立された建物であっても、電力購入の契約形態によってはより低コストでの建物運用の可能性が残っている。
【０００５】
また、従来のＥＭＳでは、使用電力の実測値と使用電力の予測値とを併せた電力料金計算の機能は実装されていない。そのため、利用者は、ＢＥＭＳから使用電力データをファイル出力して自ら電力料金を計算する工夫が必要である。よって、以下のような課題がある。
【０００６】
従来のＢＥＭＳでは、ＢＥＭＳ上に実装された使用電力予測機能が算出する使用電力の予測値と連動して電力料金を定周期で自動的に算出できない。よって、月間又は年間の電力料金を予測するには、ＢＥＭＳとは別にユーザ自身が開発したアプリケーションで［使用電力の予測値×時間毎又は月毎に異なる電力単価］の計算を料金契約パターン毎に計算しなければならない。
【０００７】
また、従来のＢＥＭＳでは、使用電力の予測値を算出する際に、過去の使用電力から今年と類似した１年間又は１ヶ月のデータを検索する方法はなく、今年と類似の傾向を示す過去の使用電力を使って予測値を算出できない。そのため、従来のＢＥＭＳでは、使用電力の予測値を算出する際に、単純に前年又は前年同月のデータを用いることになり、気象条件が異なる場合に現在以降の予測値が正確にならない。
【０００８】
この発明は、上記のような課題を解決するためになされたもので、使用エネルギーに関する複数の料金契約パターンに対し、料金のシミュレーションを実施可能な料金シミュレーション装置を提供することを目的としている。
【課題を解決するための手段】
【０００９】
この発明に係る料金シミュレーション装置は、使用エネルギーを示すデータを収集するデータ収集部と、エネルギー単価を示す単価テーブルを複数取得するテーブル取得部と、データ収集部により収集されたデータに基づいて、対象期間の使用エネルギーを取得する対象エネルギー取得部と、対象エネルギー取得部による取得結果に基づいて、テーブル取得部により取得された単価テーブル毎に、対象期間の使用エネルギーによる料金の累積値を算出する料金算出部と、料金算出部により算出された累積値を示すグラフを生成するグラフ生成部と、グラフ生成部により生成されたグラフを示すデータを出力する出力部とを備えたことを特徴とする。
【発明の効果】
【００１０】
この発明によれば、上記のように構成したので、使用エネルギーに関する複数の料金契約パターンに対し、料金のシミュレーションを実施可能となる。
【図面の簡単な説明】
【００１１】
【図１】実施の形態１に係る料金シミュレーション装置の構成例を示す図である。
【図２】実施の形態１に係る料金シミュレーション装置の動作例を示すフローチャートである。
【図３】図３Ａ、図３Ｂは、実施の形態１に係る料金シミュレーション装置で用いられる単価テーブルの一例を示す図である。
【図４】図４Ａ、図４Ｂは、実施の形態１に係る料金シミュレーション装置で得られるグラフであり、図４Ａは今年の使用電力の一例を示すグラフであり、図４Ｂは昨年の使用電力の一例を示すグラフである。
【図５】図５Ａ、図５Ｂは、実施の形態１に係る料金シミュレーション装置で得られるグラフであり、図５Ａは今年の使用電力による料金の累積値の一例を示すグラフであり、図５Ｂは昨年の使用電力による料金の累積値の一例を示すグラフである。
【図６】実施の形態１に係る料金シミュレーション装置で得られるグラフであり、図４に示すグラフと図５に示すグラフを１つの画面にまとめた場合を示す図である。
【図７】実施の形態２に係る料金シミュレーション装置の構成例を示す図である。
【図８】実施の形態２に係る料金シミュレーション装置の動作例を示すフローチャートである。
【図９】実施の形態２に係る料金シミュレーション装置で得られるグラフであり、今年の使用電力の一例を示すグラフ及び今年の使用電力による料金の累積値の一例を示すグラフである。
【発明を実施するための形態】
【００１２】
以下、この発明の実施の形態について図面を参照しながら詳細に説明する。
実施の形態１．
図１は実施の形態１に係る料金シミュレーション装置の構成例を示す図である。
料金シミュレーション装置は、使用エネルギーによる料金をシミュレーションする。使用エネルギーとしては、電力、ガス又は水等が挙げられる。以下では、一例として、料金シミュレーション装置が、ＢＥＭＳ（Ｂｕｉｌｄｉｎｇ  Ｅｎｅｒｇｙ  Ｍａｎａｇｅｍｅｎｔ  Ｓｙｓｔｅｍ）に設けられ、使用電力による料金をシミュレーションする場合を示す。
【００１３】
料金シミュレーション装置は、図１に示すように、記憶部１０１、データ収集部１０２、テーブル取得部１０３、対象期間設定部１０４、対象エネルギー取得部１０５、料金算出部１０６、グラフ生成部１０７及び出力部１０８を備えている。なお、料金シミュレーション装置は、システムＬＳＩ（Ｌａｒｇｅ  Ｓｃａｌｅ  Ｉｎｔｅｇｒａｔｉｏｎ）等の処理回路、又はメモリ等に記憶されたプログラムを実行するＣＰＵ（Ｃｅｎｔｒａｌ  Ｐｒｏｃｅｓｓｉｎｇ  Ｕｎｉｔ）等により実現される。
【００１４】
記憶部１０１は、料金シミュレーション装置で得られる各種のデータを記憶する。なお、記憶部１０１は、ＨＤＤ（Ｈａｒｄ  Ｄｉｓｋ  Ｄｒｉｖｅ）、ＤＶＤ（Ｄｉｇｉｔａｌ  Ｖｅｒｓａｔｉｌｅ  Ｄｉｓｃ）又はメモリ等によって構成される。
なお図１では、記憶部１０１が料金シミュレーション装置の内部に設けられた場合を示している。しかしながら、これに限らず、記憶部１０１は料金シミュレーション装置の外部に設けられていてもよい。
【００１５】
データ収集部１０２は、使用電力（使用エネルギー）を示すデータを収集する。この際、データ収集部１０２は、例えば、料金シミュレーションの対象となる電力メータから、所定のタイミング（例えば３０分周期）で、使用電力を示すデータを収集する。
【００１６】
テーブル取得部１０３は、電力単価（エネルギー単価）を示す単価テーブル（料金契約パターン）を複数取得する。単価テーブルは、例えば、時、月、曜日及び年毎の電力単価から構成されている。また、電力料金が基本料金と従量料金とに分かれて構成されている場合には、従量料金の単価を電力単価とする。この単価テーブルは、ユーザにより事前に設定される。
【００１７】
対象期間設定部１０４は、現在の対象期間の使用電力に類似する傾向を有する過去の対象期間を設定する。対象期間は例えば年又は月であり、すなわち、現在の対象期間は例えば今年又は今月であり、過去の対象期間は例えば昨年等又は先月等である。また、現在の対象期間はユーザにより事前に設定される。
【００１８】
この際、対象期間設定部１０４は、ユーザ入力を受付けることで、過去の対象期間を設定してもよい。
又は、対象期間設定部１０４は、データ収集部１０２により収集されたデータに基づいて、現在の対象期間の使用電力に類似する傾向を有する過去の対象期間を検索して設定してもよい。例えば、対象期間設定部１０４は、現在の対象期間のうちのデータ（実測値）の有る期間での使用電力の合計に対し、当該期間に相当する期間での使用電力の合計が近い過去の対象期間を検索して設定してもよい。また、例えば、対象期間設定部１０４は、現在の対象期間の使用電力の推移に対し、使用電力の推移が近い過去の対象期間を検索して設定してもよい。また、例えば、図４に示すようなグラフが有る場合には、対象期間設定部１０４は、画像処理を用いて、現在の対象期間の使用電力に類似する傾向を有する過去の対象期間を検索して設定してもよい。
【００１９】
対象エネルギー取得部１０５は、データ収集部１０２により収集されたデータに基づいて、対象期間の使用電力を示すデータを取得する。実施の形態１では、対象エネルギー取得部１０５は、データ収集部１０２により収集されたデータに基づいて、現在の対象期間の使用電力を示すデータ及び対象期間設定部１０４により設定された過去の対象期間の使用電力を示すデータを取得する。この際、例えば、対象エネルギー取得部１０５は、対象期間を複数に分割した期間毎（例えば対象期間が年である場合には月毎）に使用電力を示すデータを取得する。
【００２０】
料金算出部１０６は、対象エネルギー取得部１０５による取得結果に基づいて、テーブル取得部１０３により取得された単価テーブル毎に、対象期間の使用電力による料金の累積値を算出する。実施の形態１では、料金算出部１０６は、単価テーブル毎に、現在の対象期間の使用電力による料金の累積値及び対象期間設定部１０４により設定された過去の対象期間の使用電力による料金の累積値を算出する。この際、例えば、料金算出部１０６は、対象期間を複数に分割した期間毎（例えば対象期間が年である場合には月毎）に料金の累積値を算出する。
【００２１】
グラフ生成部１０７は、料金算出部１０６により算出された料金の累積値（実施の形態１では、現在の対象期間の使用電力による料金の累積値及び過去の対象期間の使用電力による料金の累積値）を示すグラフを生成する。また、グラフ生成部１０７は、対象エネルギー取得部１０５により取得されたデータが示す対象期間の使用電力（実施の形態１では、現在の対象期間の使用電力及び過去の対象期間の使用電力）を示すグラフも生成してもよい。また、グラフ生成部１０７は、上記グラフをそれぞれ別の画面として生成してもよいし、上記グラフを１つの画面としてまとめて生成してもよい。
【００２２】
出力部１０８は、グラフ生成部１０７により生成されたグラフを示すデータを外部（表示装置（不図示））に出力する。その後、表示装置は、出力部１０８により出力されたデータが示すグラフを表示する。
【００２３】
次に、図１に示す料金シミュレーション装置の動作例について、図２を参照しながら説明する。なお、データ収集部１０２は、料金のシミュレーションの対象となる電力メータから、所定のタイミングで、使用電力を示すデータを収集している（データ収集ステップ）。また、テーブル取得部１０３は、単価テーブルを複数取得している（テーブル取得ステップ）。単価テーブルの一例を図３に示す。図３では、契約Ａの単価テーブル及び契約Ｂの単価テーブルを示している。
【００２４】
図１に示す料金シミュレーション装置の動作例では、図２に示すように、まず、対象期間設定部１０４は、現在の対象期間の使用電力に類似する傾向を有する過去の対象期間を設定する（ステップＳＴ２０１、対象期間設定ステップ）。この際、対象期間設定部１０４は、ユーザ入力を受付けることで、過去の対象期間を設定してもよい。又は、対象期間設定部１０４は、データ収集部１０２により収集されたデータに基づいて、現在の対象期間の使用電力に類似する傾向を有する過去の対象期間を検索して設定してもよい。
【００２５】
次いで、対象エネルギー取得部１０５は、データ収集部１０２により収集されたデータに基づいて、現在の対象期間の使用電力を示すデータ及び対象期間設定部１０４により設定された過去の対象期間の使用電力を示すデータを取得する（ステップＳＴ２０２、対象エネルギー取得ステップ）。
【００２６】
次いで、料金算出部１０６は、対象エネルギー取得部１０５による取得結果に基づいて、テーブル取得部１０３により取得された単価テーブル毎に、現在の対象期間の使用電力による料金の累積値及び対象期間設定部１０４により設定された過去の対象期間の使用電力による料金の累積値を算出する（ステップＳＴ２０３、料金算出ステップ）。
【００２７】
次いで、グラフ生成部１０７は、料金算出部１０６により算出された料金の累積値（現在の対象期間の使用電力による料金の累積値及び過去の対象期間の使用電力による料金の累積値）を示すグラフを生成する（ステップＳＴ２０４、グラフ生成ステップ）。この際、グラフ生成部１０７は、上記グラフに加え、対象エネルギー取得部１０５により取得されたデータが示す対象期間の使用電力（現在の対象期間の使用電力及び過去の対象期間の使用電力）を示すグラフも生成してもよい。また、グラフ生成部１０７は、上記グラフをそれぞれ別の画面として生成してもよいし、上記グラフを１つの画面としてまとめて生成してもよい。
【００２８】
次いで、出力部１０８は、グラフ生成部１０７により生成されたグラフを示すデータを外部（表示装置）に出力する（ステップＳＴ２０５、出力ステップ）。その後、表示装置は、出力部１０８により出力されたデータが示すグラフを表示する。
【００２９】
図４Ａは今年（現在の対象期間）の使用電力の一例を示すグラフであり、図４Ｂは昨年（過去の対象期間）の使用電力の一例を示すグラフである。図４では、使用電力を月毎に示している。また、図４Ａでは、１０月から１２月についてはデータが無く、使用電力が得られていない場合を示している。また、図５Ａは今年の使用電力による料金の累積値の一例を示すグラフであり、図５Ｂは昨年の使用電力による料金の累積値の一例を示すグラフである。図５では、単価テーブル毎の使用電力による料金の累積値を月毎に示している。また、図５Ａでは、現在設定されている契約が契約Ａである場合を示している。また、図６は、図４に示すグラフと図５に示すグラフを１つの画面にまとめた場合を示している。
【００３０】
図４〜６に示すように、実施の形態１に係る料金シミュレーション装置では、図４Ｂに示す昨年の使用電力と、図５Ｂに示す単価テーブル毎の昨年の使用電力による料金とを可視化している。この例では、契約Ｂの場合に年間コストが大幅に改善されている。
また、図５Ａに示すように、現在設定されている契約Ａの場合での使用電力による料金の累積値と、契約Ｂを今年に適用した場合での使用電力による料金の累積値とを比較すると、図５Ｂの場合と同様に、契約Ｂの方が料金の累積値が低い。
よって、図の例では、年度の途中で契約Ａから契約Ｂに変更することが推奨パターンとなる。なお、年度の途中で契約内容の見直しが可能かどうかは契約内容に依存する。そのため、年度の途中での契約変更が不可である場合には、翌年以降の契約内容を見直すことが推奨パターンとなる。
【００３１】
このように、実施の形態１に係る料金シミュレーション装置では、複数の単価テーブルの中から最も安価な単価テーブルを容易に特定可能としている。
【００３２】
なお図３に示す単価テーブルでは、買電の電力単価のみを示している。一方、例えば、対象となる建物においてソーラパネルが設置されている場合には、買電だけでなく売電が存在し得る。そのため、このような場合には、例えば、単価テーブルに、ソーラパネルでの発電量に応じて電力単価を減額するパターンが含まれていてもよい。
【００３３】
以上のように、この実施の形態１によれば、使用エネルギーを示すデータを収集するデータ収集部１０２と、エネルギー単価を示す単価テーブルを複数取得するテーブル取得部１０３と、データ収集部１０２により収集されたデータに基づいて、対象期間の使用エネルギーを示すデータを取得する対象エネルギー取得部１０５と、対象エネルギー取得部１０５による取得結果に基づいて、テーブル取得部１０３により取得された単価テーブル毎に、対象期間の使用エネルギーによる料金の累積値を算出する料金算出部１０６と、料金算出部１０６により算出された累積値を示すグラフを生成するグラフ生成部１０７と、グラフ生成部１０７により生成されたグラフを示すデータを出力する出力部１０８とを備えた。これにより、実施の形態１に係る料金シミュレーション装置は、使用エネルギーに関する複数の料金契約パターンに対し、料金のシミュレーションを実施可能となる。
【００３４】
実施の形態２．
実施の形態１では、過去の対象期間を設定して複数の単価テーブルの中から最も安価な単価テーブルを特定する方法を示した。これに対し、実施の形態２では、現在の対象期間のうちのデータの無い期間での使用エネルギーを予測して複数の単価テーブルの中から最も安価な単価テーブルを特定する方法を示す。
【００３５】
図７は実施の形態２に係る料金シミュレーション装置の構成例を示す図である。
料金シミュレーション装置は、使用エネルギーによる料金をシミュレーションする。使用エネルギーとしては、電力、ガス又は水等が挙げられる。以下では、一例として、料金シミュレーション装置が、ＢＥＭＳに設けられ、使用電力による料金をシミュレーションする場合を示す。
【００３６】
料金シミュレーション装置は、図７に示すように、記憶部２０１、データ収集部２０２、テーブル取得部２０３、対象エネルギー取得部２０４、対象エネルギー予測部２０５、料金算出部２０６、グラフ生成部２０７及び出力部２０８を備えている。なお、料金シミュレーション装置は、システムＬＳＩ等の処理回路、又はメモリ等に記憶されたプログラムを実行するＣＰＵ等により実現される。
【００３７】
記憶部２０１は、料金シミュレーション装置で得られる各種のデータを記憶する。なお、記憶部２０１は、ＨＤＤ、ＤＶＤ又はメモリ等によって構成される。
なお図７では、記憶部２０１が料金シミュレーション装置の内部に設けられた場合を示している。しかしながら、これに限らず、記憶部２０１は料金シミュレーション装置の外部に設けられていてもよい。
【００３８】
データ収集部２０２は、使用電力（使用エネルギー）を示すデータを収集する。この際、データ収集部２０２は、例えば、料金シミュレーションの対象となる電力メータから、所定のタイミング（例えば３０分周期）で、使用電力を示すデータを収集する。
【００３９】
テーブル取得部２０３は、電力単価（エネルギー単価）を示す単価テーブル（料金契約パターン）を複数取得する。単価テーブルは、例えば、時、月、曜日及び年毎の電力単価から構成されている。また、電力料金が基本料金と従量料金とに分かれて構成されている場合には、従量料金の単価を電力単価とする。この単価テーブルは、ユーザにより事前に設定される。
【００４０】
対象エネルギー取得部２０４は、データ収集部２０２により収集されたデータに基づいて、対象期間の使用電力を示すデータを取得する。実施の形態２では、対象エネルギー取得部２０４は、データ収集部２０２により収集されたデータに基づいて、現在の対象期間のうちのデータの有る期間での使用電力を示すデータを取得する。この際、例えば、対象エネルギー取得部２０４は、対象期間を複数に分割した期間毎（例えば対象期間が年である場合には月毎）に使用電力を示すデータを取得する。
【００４１】
対象エネルギー予測部２０５は、データ収集部２０２により収集されたデータに基づいて、現在の対象期間のうちのデータの無い期間での使用電力を予測する。この際、例えば、対象エネルギー予測部２０５は、対象期間を複数に分割した期間毎（例えば対象期間が年である場合には月毎）に使用電力を予測する。また、対象エネルギー予測部２０５は、データ収集部２０２により収集されたデータに加え、気象情報を用いて、現在の対象期間のうちのデータの無い期間での使用電力を予測してもよい。
【００４２】
料金算出部２０６は、対象エネルギー取得部２０４による取得結果及び対象エネルギー予測部２０５による予測結果に基づいて、テーブル取得部２０３により取得された単価テーブル毎に、対象期間の使用電力による料金の累積値を算出する。実施の形態２では、料金算出部２０６は、現在の対象期間の使用電力による料金の累積値を算出する。この際、例えば、料金算出部２０６は、対象期間を複数に分割した期間毎（例えば対象期間が年である場合には月毎）に料金の累積値を算出する。
【００４３】
グラフ生成部２０７は、料金算出部２０６により算出された料金の累積値（実施の形態２では、現在の対象期間の使用電力による料金の累積値）を示すグラフを生成する。また、グラフ生成部２０７は、対象エネルギー取得部２０４による取得結果及び対象エネルギー予測部２０５による予測結果に基づく現在の対象期間の使用電力を示すグラフも生成してもよい。また、グラフ生成部２０７は、上記グラフをそれぞれ別の画面として生成してもよいし、上記グラフを１つの画面としてまとめて生成してもよい。
【００４４】
出力部２０８は、グラフ生成部２０７により生成されたグラフを示すデータを外部（表示装置（不図示））に出力する。その後、表示装置は、出力部２０８により出力されたデータが示すグラフを表示する。
【００４５】
次に、図７に示す料金シミュレーション装置の動作例について、図８を参照しながら説明する。なお、データ収集部２０２は、料金のシミュレーションの対象となる電力メータから、所定のタイミングで、使用電力を示すデータを収集している（データ収集ステップ）。また、テーブル取得部２０３は、単価テーブルを複数取得している（テーブル取得ステップ）。単価テーブルは実施の形態１で示した単価テーブルと同様である。
【００４６】
図７に示す料金シミュレーション装置の動作例では、図８に示すように、まず、対象エネルギー取得部２０４は、データ収集部２０２により収集されたデータに基づいて、現在の対象期間のうちのデータの有る期間での使用電力を示すデータを取得する（ステップＳＴ８０１、対象エネルギー取得ステップ）。
【００４７】
また、対象エネルギー予測部２０５は、データ収集部２０２により収集されたデータに基づいて、現在の対象期間のうちのデータの無い期間での使用電力を予測する（ステップＳＴ８０２、対象エネルギー予測ステップ）。
【００４８】
次いで、料金算出部２０６は、対象エネルギー取得部２０４による取得結果及び対象エネルギー予測部２０５による予測結果に基づいて、テーブル取得部１０３により取得された単価テーブル毎に、現在の対象期間の使用電力による料金の累積値を算出する（ステップＳＴ８０３、料金算出ステップ）。
【００４９】
次いで、グラフ生成部２０７は、料金算出部２０６により算出された累積値（現在の対象期間の使用電力による料金の累積値）を示すグラフを生成する（ステップＳＴ８０４、グラフ生成ステップ）。この際、グラフ生成部２０７は、上記グラフに加え、対象エネルギー取得部２０４による取得結果及び対象エネルギー予測部２０５による予測結果に基づく現在の対象期間の使用電力を示すグラフも生成してもよい。また、グラフ生成部２０７は、上記グラフをそれぞれ別の画面として生成してもよいし、上記グラフを１つの画面としてまとめて生成してもよい。
【００５０】
次いで、出力部２０８は、グラフ生成部２０７により生成されたグラフを示すデータを外部（表示装置）に出力する（ステップＳＴ８０５、出力ステップ）。その後、表示装置は、出力部１０８により出力されたデータが示すグラフを表示する。
【００５１】
図９は今年（現在の対象期間）の使用電力の一例を示すグラフと、今年の使用電力による料金の累積値の一例を示すグラフとを示している。図９では、使用電力及び料金の累積値を月毎に示している。また、図９では、現在設定されている契約が契約Ａである場合を示している。
【００５２】
図９に示すように、実施の形態２に係る料金シミュレーション装置では、現在設定されている契約Ａの場合での使用電力による料金の累積値と、契約Ｂを今年に適用した場合での使用電力による料金の累積値とを比較すると、契約Ｂの方が料金の累積値が低い。
よって、図の例では、年度の途中で契約Ａから契約Ｂに変更することが推奨パターンとなる。なお、年度の途中で契約内容の見直しが可能かどうかは契約内容に依存する。そのため、年度の途中での契約変更が不可である場合には、翌年以降の契約内容を見直すことが推奨パターンとなる。
【００５３】
このように、実施の形態２に係る料金シミュレーション装置では、現在の対象期間のうちのデータの無い期間での使用電力を予測し、複数の単価テーブルの中から最も安価な単価テーブルを容易に特定可能としている。すなわち、実施の形態２に係る料金シミュレーション装置では、過去の対象期間を設定せずに、単価テーブル毎の料金の累積値を算出可能となる。
【００５４】
なお、本願発明はその発明の範囲内において、各実施の形態の自由な組合わせ、或いは各実施の形態の任意の構成要素の変形、若しくは各実施の形態において任意の構成要素の省略が可能である。
【符号の説明】
【００５５】
１０１  記憶部
１０２  データ収集部
１０３  テーブル取得部
１０４  対象期間設定部
１０５  対象エネルギー取得部
１０６  料金算出部
１０７  グラフ生成部
１０８  出力部
２０１  記憶部
２０２  データ収集部
２０３  テーブル取得部
２０４  対象エネルギー取得部
２０５  対象エネルギー予測部
２０６  料金算出部
２０７  グラフ生成部
２０８  出力部
【図１】
2020144532.tif 000003
【図２】
2020144532.tif 000004
【図３】
2020144532.tif 000005
【図４】
2020144532.tif 000006
【図５】
2020144532.tif 000007
【図６】
2020144532.tif 000008
【図７】
2020144532.tif 000009
【図８】
2020144532.tif 000010
【図９】
2020144532.tif 000011